(57)【特許請求の範囲】
【請求項１】
アウターレールとインナーレールとを、ボールリテナーで保持した多数のボールを介し摺動自在に係合させて上下に重なる向きで水平に配設し、前記アウターレールを天井側に固定する一方、前記インナーレールを引戸上に取り付けて該引戸をスライド自在に吊持するとともに、その引戸を戸当りに当ててスライド範囲を規制する構成のスライドレール式上吊り引戸のスライド規制構造において、
引戸を所定の閉位置と開位置間でスライドしたとき、前記インナーレールの端部を当てて該インナーレールと前記ボールリテナーとを重合させるストッパ片を備え、該ストッパ片を、前記アウターレール内における所望の戸当り位置に移動自在に嵌着する一方、
前記戸当りは、戸当り位置にある前記ストッパ片と共に前記アウターレールを介して同じ戸当り位置に固着してなることを特徴とする、スライドレール式上吊り引戸のスライド規制構造。
【請求項２】
前記戸当りは、Ｌ形板状に曲げ成形して一片に引戸の戸当り部を形成する一方、他片にストッパ取付部を形成してなり、該ストッパ取付部と、戸当り位置にある前記ストッパ片とで前記アウターレールのガイドレール部を間に挟んで、前記ストッパ片に同じ戸当り位置で締着してなることを特徴とする、請求項１に記載のスライドレール式上吊り引戸のスライド規制構造。
【発明の詳細な説明】
【０００１】
【発明の属する技術分野】
本発明は、アウターレールに対しインナーレールを、ボールリテナーで保持した多数のボールを介し摺動自在に係合させたスライドレール組立体を備え、天井側にスライドレール組立体を介してスライド自在に吊設されるスライドレール式上吊り引戸に適用し得る。詳しくは、そのようなスライドレール式上吊り引戸において、その引戸を戸当りに当ててスライド範囲を規制するスライド規制構造に関する。
【０００２】
【従来の技術】
各種の引戸の中でも、上吊り引戸は、引戸開口部の下側に、敷居やレールなど、引戸を案内するガイド部材を設置する必要がないために、床面に段差が発生せず、昨今のバリアフリーの要請に十分応え得る引戸として、需要が高まっている。
【０００３】
そこで、従来、この種の上吊り引戸を吊設する構造の例として、たとえば図９に示すようなスライドレール式のものがある。
【０００４】
この従来のスライドレール式上吊り引戸１は、その上框部側に、図示のようなスライドレール組立体２を搭載している。スライドレール組立体２は、アウターレール３に対し、ボールリテナー４で保持した多数のボール４ａを介しインナーレール５を摺動自在に係合させて、両レール３・５を上下に重なる向きで水平に配設し、アウターレール３を天井側に固定する一方、インナーレール５を上框部１ａに取り付けている。そして、引戸１を、スライドレール組立体２を介してスライド自在に吊持し、この引戸１のスライドに応じて引戸開口部を開閉する構成になっている。
【０００５】
さらに、従来では、図１０および図１１に示すように、アウターレール３を、引戸１の所定スライド範囲（開閉ストローク）に合わせて規定の長さサイズに切断加工し、そのアウターレール３の戸尻側端部３ａにストッパ片６を嵌入し、予めねじ止めしている。そして、引戸１を全開したとき、それに応じてスライドするインナーレール５の戸尻側端部がストッパ片６に当たると、インナーレール５とボールリテナー４とが閉位置のホームポジションにてズレなく互いに重合する構造になっている。
【０００６】
一方、引戸１の戸尻側に立設の壁面Ｗには、所定の戸当り位置に戸当り７をねじ止めし、引戸１の全開時、戸尻側の木口面１ａを戸当り７に当てて止めることで、スライド範囲を規制する構造になっている。図中符号８は、戸当り７に接着したゴム製のクッション板である。
【０００７】
【発明が解決しようとする課題】
ところで、上吊り引戸１には、通常、凸状のバーハンドル型取っ手９や凹状の引手型取っ手などを設けるが、全開時に、これら取っ手が壁に当ったり壁に入り込んだりして使用不能にならないように、それら取っ手の設置位置に応じ、その都度、取付現場にて、引戸１のスライド範囲を調整するように要請されることが多い。そこで、従来では、上述のように壁ｗに戸当り７を設け、引戸１のスライド範囲を所望長さに規制することで、取付現場での要請に応えている。
【０００８】
ところが、アウターレール３は、通常、金属製なので、取付現場で切断して所望長さに事後的に調整することが困難であり、そのため図１１に示すように、ストッパ片６が戸当り位置より引戸１のスライド方向後方に位置した状態で設置されることになる。これでは、引戸１を全開し、インナーレール５を閉位置側のホームポジションに戻したときに、その戸尻側端部をストッパ片６に当ててインナーレール５とボールリテナー４との係合位置のズレを解消することができない。
【０００９】
その結果、従来では、引戸１をスライドさせたときに、その途中でインナーレール５とボールリテナー４の係合位置にズレを生ずると、インナーレール５がボールリテナー４のボール４ａと係合しない位置で摺動することがあるが、それが原因でインナーレール５の摺動が重くなり、それだけ引戸１に負荷がかかって開閉操作の負担になるいう課題があった。
【００１０】
そこで、本発明の目的は、上述のように開閉ストロークの異なる引戸を取り付ける場合であっても、インナーレールとボールリテナーの係合位置にズレを発生させることなく、常に負荷のないスムーズな引戸の開閉操作を可能にするスライドレール式上吊り引戸のスライド規制構造を提供することにある。
【００１１】
【課題を解決するための手段】
したがって、請求項１に記載の発明は、たとえば以下に示す図示実施の形態のとおり、アウターレール１５とインナーレール１７とを、ボールリテナー１６で保持した多数のボール２０…を介し摺動自在に係合させて上下に重なる向きで水平に配設し、前記アウターレール１５を天井側に固定する一方、前記インナーレール１７を引戸Ａ上に取り付けて該引戸Ａをスライド自在に吊持するとともに、その引戸Ａを戸当り４５に当ててスライド範囲を規制する構成のスライドレール式上吊り引戸のスライド規制構造において、引戸Ａを所定の閉位置と開位置間でスライドしたとき、前記インナーレール１７の端部を当てて該インナーレール１７と前記ボールリテナー１６とを重合させるストッパ片４０を備え、該ストッパ片４０を、前記アウターレール１５内における所望の戸当り位置に移動自在に嵌着する一方、前記戸当り４５は、戸当り位置にある前記ストッパ片４０と共に前記アウターレール１５を介して同じ戸当り位置に固着してなることを特徴とする。
【００１２】
請求項２に記載の発明は、たとえば以下に示す図示実施の形態のとおり、前記戸当り４５は、Ｌ形板状に曲げ成形して一片に引戸の戸当り部４５ａを形成する一方、他片にストッパ取付部４５ｂを形成してなり、該ストッパ取付部４５ｂと、戸当り位置にある前記ストッパ片４０とで前記アウターレール１５のガイドレール部１５ａを間に挟んで、前記ストッパ片４０に同じ戸当り位置で締着してなることを特徴とする。
【００１３】
【発明の実施の形態】
以下、図面を参照しつつ、本発明の実施の形態について説明する。
【００１４】
図１は、本発明によるスライドレール式上吊り引戸のスライド規制構造を適用した引戸構造体を示す分解斜視図である。図２は、引戸構造体のスライドレール組立体を取付状態において示す部分側面図である。引戸構造体１０には、引戸Ａと、レール取付手段Ｂと、スライドレール組立体Ｃを備える。引戸Ａは、例えば木製で、上框面ａの長さ方向両端に取付溝１１を設けてなる。取付溝１１は、スライドレール組立体Ｃの後述するインナーレール１７のスライダ２３・２４長さに合わせて穿設し、それぞれ木口面ｋ側の端部を開放して差込み口１１ａを形成している。図中符号ｔは、バーハンドル型の取っ手である。
【００１５】
レール取付手段Ｂは、それぞれ一対のレール受け１２と抜け止めキャップ１３を備える。レール受け１２は、取付溝１１に合わせて溝形に曲げ成形してなり、両側縁に、互いに対向する向きに断面Ｌ状に屈曲させて係合片１２ａを設け、両端部に直角に曲げ起したねじ止め片１２ｂを設けてなる。抜け止めキャップ１３は、取付溝１１の差込み口１１ａに合わせて矩形の小板片で、片面に、ねじ止め片１２ｂと係合する一対の差込みリブ１３ａを設けてなる。このレール取付手段Ｂにおいて、レール受け１２は、係合片１２ａを上向きに取付溝１１内に嵌め入れてねじ止めし、予め引戸Ａに固着する。
【００１６】
スライドレール組立体Ｃは、アウターレール１５と、ボールリテナー１６と、インナーレール１７を備える。アウターレール１５は、図３に示すように曲げ成形し、両側縁に、互いに対向する向きに湾曲したガイドレール部１５ａを設けてなる。図中符号１４は、それぞれ止めねじ用の貫通穴である。ボールリテナー１６は、図４に示すように、２本の長手ボール保持材１８を備え、これらボール保持材１８の両端を、樹脂製のリテナーガイド１９で連結して平行に組み付けてなる。ボール保持材１８は、図４中一部を拡大して示すように、Ｌ板状に曲げた多数の支持片１８ａ…を並設し、各支持片１８ａ…に有する保持穴２１にて、図２中鎖線で示すように小径な金属製ボール…２０を転動可能に保持してなる。このボールリテナー１６は、図３に示すように、アウターレール１５内に摺動可能に嵌入する。
【００１７】
インナーレール１７は、図１に示すように、アウターレール１５に対し所定長さの２つの短手なスライダ２３・２４に分割して構成してなる。スライダ２３・２４は、それぞれ本体レール２５と、ガイドレール２６とからなる。本体レール２５は、断面略コ形状に曲げ成形したチャネル部２５ａの両側縁に、互いに離れる向きに湾曲した係合部２５ｂを設けてなる。ガイドレール２６は、断面略コ形状に曲げ成形したチャネル部２６ａの両側縁に、互いに離れる向きに略直角にＬ板状に屈曲したガイド部２６ｂを設けてなる。スライダ２３・２４は、本体レール２５のチャネル部２５ａと、ガイドレール２６のチャネル部２６ａの底面側を互いに重ね合わせて、ねじ２７で固着して一体化してなる。
【００１８】
そこで、スライドレール組立体Ｃは、分割スライダ２３・２４における本体レール２５の係合部２５ｂを、図４に示すようにボールリテナー１６に嵌合することにより、図２に示すように、本体レール２５の係合部２５ｂを、アウターレール１５のガイドレール部１５ａに、ボール２０…を介してスライド自在に係合させる。そして、図３に示すように、アウターレール１５の戸先側端部内に、ストッパ片３０を嵌め込んでねじ３１で固着し、スライドレール組立体Ｃとして組み立てられる。
【００１９】
ストッパ片３０は、たとえば金属製で、アウターレール１５の断面形状に合わせて平板ブロック状に形成してなり、引戸Ａを所定の閉位置にスライドしたとき、リテナーガイド１９を介してインナーレール１７の分割スライダ２３を当てて、その分割スライダ２３とボールリテナー１６をズレなく重合させるようになっている。
【００２０】
一方、アウターレール１５の戸尻側端部内には、ストッパ片４０を摺動自在に嵌入し、アウターレール１５における所望の戸当り位置に位置決めセット可能な構成になっている。ストッパ片４０は、たとえば金属製で、図５でも示すとおり、アウターレール１５の断面形状に合わせて平板ブロック状に形成してなる。さらに、このアウターレール１５の戸当り位置に嵌着するストッパ片４０に対しては、戸当り４５を取り付ける構成になっている。
【００２１】
戸当り４５は、たとえば金属板をＬ形状に曲げ成形し、一片に戸当り部４５ａを形成する一方、他片にストッパ取付部４５ｂを形成してなる。この戸当り４５を取り付けるときは、ストッパ取付部４５ｂと、戸当り位置にあるストッパ片４０とでアウターレール１５のガイドレール部１５ａを間に挟み、止めねじ４９を用いて戸当り４５をストッパ片４０に締着する。これによって、ストッパ片４０は、アウターレール１５における所望の長さ方向戸当り位置にて固定され、引戸Ａを所定の全開位置にスライドしたとき、リテナーガイド１９を介してインナーレール１７の分割スライダ２４を当てて、分割スライダ２４とボールリテナー１６の係合位置をズレなく重合させる構成になっている。なお、図中符号５０は、戸当り４５に接着したゴム製のクッション板である。
【００２２】
さて、上述した構成の引戸構造体１０において、引戸Ａを組み付けるときは、図２に示すように、スライドレール組立体Ｃを横向きに寝かせた状態で、アウターレール１５の背面１５ｂを、支持枠体の上桟３５に当てがい、一方で、分割スライダ２３・２４を適宜摺動させて、ねじ貫通穴１４を塞がないようにしながら、アウターレール１５を上桟３５にねじ止めする。そして、スライドレール組立体Ｃを、予め天井側に水平に固着する。
【００２３】
その後、インナーレール１７の分割スライダ２３・２４を、互いに離れる方向にスライドさせて、それぞれアウターレール１５の両端寄りの退避位置に、いったん逃がしておく。そして、引戸Ａを持ち上げる一方、退避位置のスライダ２３・２４を、引戸Ａの木口面ｋ側から再びスライドさせ、レール受け１２内に差し込んでガイドレール２６のガイド部２６ｂを係合片１２ａに係合し、これによって、引戸Ａを、スライドレール組立体Ｃを介してスライド自在に吊持する。しかる後、差込み口１１ａに抜け止めキャップ１３を被せて、差込みリブ１３ａをレール受け１２のねじ止め片１２ｂに係合し、そのねじ止め片１２ｂにねじ止めする。こうして引戸Ａを支持枠体の上桟３５に吊設する。
【００２４】
その後、上述した引戸構造体１０では、特にアウターレール１５に対し、図６に示すように、その戸尻側端部からストッパ片４０を嵌入し、所定の長さ方向戸当り位置にセットする。そして、このストッパ片４０に戸当り４５をねじ止めする。その場合は、クッション板５０を引戸Ａの木口面ｋに対向させ、ストッパ取付部４５ｂとストッパ片４０とでアウターレール１５のガイドレール部１５ａを間に挟んだ状態で、止めねじ４９を用いて戸当り４５をストッパ片４０に固着する。これによって、戸当り４５とストッパ片４０とを、同じ所定戸当た位置にて締着する。そして、図７に示すように引戸Ａを組み付け終える。
【００２５】
したがって、引戸Ａをスライドさせて全開し、開位置のホームポジションに到達したとき、引戸Ａの木口面ｋがストッパ片４０の戸当り部４５ａにクッション板５０を介して当接すると同時に、リテナーガイド１９を介してインナーレール１７の分割スライダ２４がストッパ片４０に突き当たり、これによって分割スライダ２４とボールリテナー１６との係合位置をズレなく重合させて、所定の係合状態にリセットする。
【００２６】
ところで、上述の如く引戸を取り付ける場合には、取付現場において、希望の開閉ストロークに合わせて引戸のスライド範囲を所望長さに調整するように要望される場合がある。その場合、たとえばスライド範囲を規定サイズより短く調整する必要があるときは、図８に示すとおり、アウターレール１５に、その戸尻側端部からストッパ片４０を嵌入し、さらにストッパ片４０を、矢示する如く、所望のスライド範囲を決める戸当り位置まで長さ方向戸先側へスライドさせて、その戸当り位置に位置決めセットする。それから、ストッパ片４０に対し戸当り４５のストッパ取付部４５ｂをねじ止めし、両者を同じ戸当り位置にて締着する。
【００２７】
したがって、このように取付現場にて、引戸Ａのスライド範囲を規定サイズと異なる長さに変更する要請があったとしても、ストッパ片４０を位置決め調節して戸当り４５を同じ所望戸当り位置に締着することによって、引戸Ａを所望の全開位置にスライドしたとき、インナーレール１７の分割スライダ２４とボールリテナー１６との係合位置をズレなく重合させて、所定の係合状態に確実にリセットすることができる。
【００２８】
また、上述した引戸構造体１０では、前記引戸Ａに代え、それと幅サイズが異なる他の引戸を組み付ける場合でも、同じインナーレール１７のスライダ２３・２４をそのまま使用し、それらスライダ２３・２４を、他の引戸上のレール受け１２に係合させればよく、従って、他の引戸を、その幅サイズに関係なく、共通のスライダ２３・２４を備えたスライドレール組立体Ｃを介して同じように吊設することができる。これによって、異なる幅サイズの引戸ごとに、わざわざインナーレールを個別に作製し、それらインナーレールを備えた多種類のスライドレール組立体を、予め用意して対応する必要性をなくすことができる。
【００２９】
なお、上述した図示実施の形態では、アウターレール１５の戸尻側端部においてストッパ片４０と戸当り４５を同じ戸当り位置で締着した例を示した。しかし、本発明では、両引き引戸のような場合など、必要に応じて、引戸の戸先側に戸当りを設置する場合にも、アウターレール１５の戸先側端部においてストッパ片と戸当りを同じ戸当り位置にて同様に締着する構成にすることもできる。これによって、引戸を閉位置のホームポジションにスライドした場合も、同様にインナーレールとボールリテナーとの係合位置をズレなく重合させて、所定の係合状態にリセットすることができる。
【００３０】
さらに、以上の図示実施の形態では、２本の短手なスライダ２３・２４に分割したインナーレール１７を備えるスライドレール組立体Ｃを用いて説明したが、本発明のスライド規制構造は、インナーレールが長手な１本のレール単体からなるスライドレール組立体を備えた上吊り引戸に対しても、そのまま適用し得ることは勿論である。
【００３１】
【発明の効果】
上述の如く構成した本発明によれば、次のような効果が得られる。
【００３２】
請求項１に記載の発明によれば、ストッパ片を、アウターレール内における所望の戸当り位置に移動自在に嵌着する一方、戸当りを、戸当り位置にあるストッパ片と共にアウターレールを介して同じ戸当り位置に固着する構成であるため、取付現場にて、引戸のスライド範囲を規定サイズと異なる長さに変更する要請があったとしても、ストッパ片の嵌着位置を移動調節して戸当りを同じ所望戸当り位置に締着することにより、引戸を閉位置と開位置間でスライドしたときにインナーレールとボールリテナーとの係合位置をズレなく重合させ、所定の係合状態に確実にリセットすることができる。その結果、引戸をスライドさせて開閉するとき、引戸に余計な負荷が加わることがなく、常に抵抗なくスムーズに引戸を開閉操作することができる。
【００３３】
請求項２に記載の発明によれば、戸当りは、Ｌ形板状に曲げ成形して一片に引戸の戸当り部を形成する一方、他片にストッパ取付部を形成し、ストッパ取付部と、戸当り位置にあるストッパ片とでアウターレールのガイドレール部を間に挟んで、ストッパ片に同じ戸当り位置で締着する構成にすることにより、面倒なく簡単に且つ確実に戸当りとストッパ片を同じ戸当り位置に取り付けることができる。
【図面の簡単な説明】
【図１】本発明によるスライドレール式上吊り引戸のスライド範囲規制構造を適用した引戸構造体を示す分解斜視図である。
【図２】引戸構造体のスライドレール組立体を取付状態において示す部分側面図である。
【図３】アウターレールにボールリテナーを嵌入する状態を示す斜視図である。
【図４】ボールリテナーの構成と、それにインナーレールのスライダを係合する状態を示す斜視図である。
【図５】アウターレールの戸尻側端部に取り付けるストッパ片と戸当り部品の分解斜視図である。
【図６】引戸の戸尻側におけるスライド規制構造を示す部分斜視図である。
【図７】引戸構造体の外観斜視図である。
【図８】スライド範囲が短い場合の引戸の戸尻側におけるスライド規制構造を示す部分斜視図である。
【図９】従来のスライドレール式上吊り引戸を、一部を省略して示す側面図である。
【図１０】従来のスライド規制構造を備えたスライドレール式上吊り引戸を示す斜視図である。
【図１１】従来のスライドレール式上吊り引戸の戸尻側におけるスライド規制構造を示す部分斜視図である。
【符号の説明】
１０            引戸構造体
１５            アウターレール
１５ａ          アウターレールのガイドレール部
１６            ボールリテナー
１７            インナーレール
２０            ボール
２３・２４      インナーレールの分割スライダ
４０            ストッパ片
４５            戸当り
４５ａ          戸当り部
４５ｂ          ストッパ取付部
Ａ              引戸
Ｃ              スライドレール組立体
【図１】
0003590396.tif 000002
【図２】
0003590396.tif 000003
【図３】
0003590396.tif 000004
【図４】
0003590396.tif 000005
【図５】
0003590396.tif 000006
【図６】
0003590396.tif 000007
【図７】
0003590396.tif 000008
【図８】
0003590396.tif 000009
【図９】
0003590396.tif 000010
【図１０】
0003590396.tif 000011
【図１１】
0003590396.tif 000012